(57)【特許請求の範囲】
【請求項１】
ブロックを順次接続して通路を構築するため、ブロック据付装置を使用する方法において、
ブロックは、横棒を左右の側面に左方、右方に突出して取り付け、
ブロック据付装置は、台車上に棒受部を左右に設け、左右の棒受部を横長にして前後方向に沿って配置し、左右の棒受部の間をブロック配置空間にし、
このブロック据付装置は、台車のブロック配置空間にブロックを位置させ、ブロックの左右の横棒を台車の左右の棒受部の上側に配置し、この配置状態で台車を上昇させ、上昇途中で左右の棒受部にブロックの左右の横棒を載せ、その後の上昇でブロックを持ち上げ、この上昇状態で台車を前進させ、持上げ中のブロックを前方へ運ぶ、
そして、据付位置で台車を停止させて下降させ、下降途中で持上げ中のブロックを下ろし、その後の下降で左右の棒受部をブロックの左右の横棒から下側に離し、ブロックを据付位置に置き、この下降状態で台車を後進させ、台車を据付位置のブロックから後方に退かせ、ブロックを据付位置に残置することを特徴とするブロックの据付方法。
【請求項２】
ブロックを順次接続して通路を構築するため、ブロックを据え付ける装置において、
台車は、後部を駆動部にし、左側部と右側部を左側持上げ部と右側持上げ部にし、左側持上げ部と右側持上げ部の間をブロック配置空間にし、ブロック配置空間に、横棒を左右の側面に左方、右方に突出して取り付けたブロックを位置させる構成にし、
左側持上げ部上と右側持上げ部上には棒受部を設け、左右の棒受部を横長にして前後方向に沿って配置し、左右の棒受部の上側に、ブロック配置空間のブロックの左右の横棒を配置する構成にし、
駆動部には操縦装置を設け、左側持上げ部と右側持上げ部に前輪を設け、駆動部に後輪を設け、操縦装置の走行操作で後輪又は前輪を正転又は逆転可能にし、台車は前進又は後進可能にし、
操縦装置の昇降操作で前輪と後輪を上方又は下方への移動可能にし、台車は上昇又は下降可能にして高さ調整可能にし、
台車を上昇させ、左右の棒受部にブロック配置空間のブロックの左右の横棒を載せてブロックを持ち上げ、この上昇状態で台車を前進させ、持上げ中のブロックを前方へ運ぶ構成にし、
そして、据付位置で台車を停止させて下降させ、持上げ中のブロックを下ろし、左右の棒受部をブロックの左右の横棒から下側に離し、ブロックを据付位置に置き、この下降状態で台車を後進させ、台車を据付位置のブロックから後方に退かせ、ブロックを据付位置に残置する構成にしていることを特徴とするブロック据付装置。
【請求項３】
左側持上げ部と右側持上げ部は、前側部分を上側後方に折り曲げ可能にし、
台車は、左側持上げ部と右側持上げ部を折り畳んで前後方向の長さを短縮可能にしていることを特徴とする請求項２に記載のブロック据付装置。
【請求項４】
左側持上げ部と右側持上げ部は、それらの間隔を増減可能にし、ブロック配置空間の左右方向の幅を調節可能にしていることを特徴とする請求項２又は３に記載のブロック据付装置。
【請求項５】
左側持上げ部と右側持上げ部は、棒受部を複数にして前後に配列していることを特徴とする請求項２、３又は４に記載のブロック据付装置。
【請求項６】
棒受部は、上側が開放した凹部を設け、凹部にブロックの横棒の下部が嵌る構成にしていることを特徴とする請求項２〜５のいずれかに記載のブロック据付装置。
【請求項７】
凹部は、複数にして前後に配列していることを特徴とする請求項６に記載のブロック据付装置。
【発明の詳細な説明】
【技術分野】
【０００１】
本発明は、水路などの通路を構築するブロックを据え付ける技術に関する。
【背景技術】
【０００２】
カルバートのようなブロックを順次接続して水路、地中線路や側溝などの通路を構築する場合、四角筒形状やＵ形断面形状などのブロックをクレーンで吊り下ろして所定の位置に据え付ける。次のブロックを吊り下ろして前回の据付済みブロックに向けて前進させ、前回の据付済みブロックの後端に今回のブロックの前端を接続する。ブロックをクレーンで吊って移動させる空間がない施工場所では、クレーンを使用することができない。ブロック据付装置を使用する。
【０００３】
ブロック据付装置は、特許文献１に例示されているように、前後進可能な台車の上に、上下動と左右動が可能な取付け板を装置している。台車は、平面形状をコの字形にし、左側部と右側部の上にそれぞれ取付け板を前後方向に沿って垂直に配置している。左右の取付け板は、並列して対面している。
ブロック据付装置に四角筒形状やＵ形断面形状などのブロックを装着するときには、台車の左側部と右側部の間の空間にブロックを位置させる。ブロックは、左右の取付け板に挟まれる。左右の取付け板は、それぞれ、左右動してブロックの側面に重ね、ボルトでブロックのネジ穴付き側面に固定する。ブロックを左右の取付け板で挟んで持つ。
ブロックを移送するときには、左右の取付け板を上昇させてブロックを持ち上げる。台車を前進させてブロックを前方へ運ぶ。ブロックが据付位置に達すると、台車を停止し、左右の取付け板を下降させてブロックを下ろす。その後、左右の取付け板は、それぞれ、ボルトを捩戻してブロックとの固定を解除し、左右動してブロックの側面から離す。台車を後退させ、左右の取付け板を据付位置のブロックから後方に退かせる。
【先行技術文献】
【特許文献】
【０００４】
【特許文献１】特開平１０−１６７４３３号公報
【発明の概要】
【発明が解決しようとする課題】
【０００５】
［課  題］
上記のようなブロック据付装置は、台車の上に取付け板を装置していて、２段の構造になる。また、取付け板をブロックに着脱する手間が掛る。更に、ブロック据付装置は、前後方向に長いブロックに用いる長尺の装置になると、運搬や保管が困難になる。
ブロック据付装置は、構造が簡単で使用し易いことが望まれる。
【０００６】
［着  想］
ブロック据付装置は、台車を昇降可能にする。台車には、棒受部を左右に設ける。左右の棒受部の間は、ブロック配置空間にする。ブロックは、横棒を左右に取り付ける。
台車のブロック配置空間には、ブロックを位置させる。ブロックの左右の横棒は、台車の左右の棒受部の上側に配置する。この配置状態で台車を上昇させる。上昇途中で左右の棒受部にブロックの左右の横棒を載せる。その後の上昇でブロックを持ち上げる。この上昇状態で台車を前進させる。持上げ中のブロックを前方へ運ぶ。そして、据付位置で台車を停止させて下降させる。下降途中で持上げ中のブロックを下ろす。その後の下降で左右の棒受部をブロックの左右の横棒から下側に離す。ブロックを据付位置に置く。この下降状態で台車を後進させる。台車は、据付位置のブロックから後方に退かせる。ブロックは、据付位置に残置する。
【０００７】
ブロック据付装置は、具体的には、次のように構成する。
１．基本機構
台車は、後部を駆動部に、左側部と右側部を左側持上げ部と右側持上げ部にする。左側持上げ部と右側持上げ部の間は、ブロック配置空間にする。左側持上げ部と右側持上げ部には、棒受部を設ける。
駆動部には、操縦装置を設ける。左側持上げ部と右側持上げ部には、前輪を設ける。駆動部には、後輪を設ける。操縦装置の走行操作で後輪又は前輪を正転又は逆転可能にする。台車は、前進又は後進可能にする。操縦装置の昇降操作で前輪と後輪を上方又は下方への移動可能にする。台車は、上昇又は下降可能にして高さ調整可能にする。
【０００８】
２．折り畳み機構
左側持上げ部と右側持上げ部は、前側部分を上側後方に折り曲げ可能にする。運搬時や保管時、左側持上げ部と右側持上げ部を折り畳む。台車は、前後方向の長さを短縮する。運搬し易くなる。保管し易くなる。
【０００９】
３．幅調節機構
左側持上げ部と右側持上げ部は、それらの間隔を増減可能にし、ブロック配置空間の左右方向の幅を調節可能にする。
幅広のブロックにも、幅狭のブロックにも、使用可能になる。
【課題を解決するための手段】
【００１０】
１．ブロックを順次接続して通路を構築するため、ブロック据付装置を使用する方法において、
ブロックは、横棒を左右の側面に左方、右方に突出して取り付け、
ブロック据付装置は、台車上に棒受部を左右に設け、左右の棒受部を横長にして前後方向に沿って配置し、左右の棒受部の間をブロック配置空間にし、
このブロック据付装置は、台車のブロック配置空間にブロックを位置させ、ブロックの左右の横棒を台車の左右の棒受部の上側に配置し、この配置状態で台車を上昇させ、上昇途中で左右の棒受部にブロックの左右の横棒を載せ、その後の上昇でブロックを持ち上げ、この上昇状態で台車を前進させ、持上げ中のブロックを前方へ運ぶ、
そして、据付位置で台車を停止させて下降させ、下降途中で持上げ中のブロックを下ろし、その後の下降で左右の棒受部をブロックの左右の横棒から下側に離し、ブロックを据付位置に置き、この下降状態で台車を後進させ、台車を据付位置のブロックから後方に退かせ、ブロックを据付位置に残置することを特徴とするブロックの据付方法。
【００１１】
２．ブロックを順次接続して通路を構築するため、ブロックを据え付ける装置において、
台車は、後部を駆動部にし、左側部と右側部を左側持上げ部と右側持上げ部にし、左側持上げ部と右側持上げ部の間をブロック配置空間にし、ブロック配置空間に、横棒を左右の側面に左方、右方に突出して取り付けたブロックを位置させる構成にし、
左側持上げ部上と右側持上げ部上には棒受部を設け、左右の棒受部を横長にして前後方向に沿って配置し、左右の棒受部の上側に、ブロック配置空間のブロックの左右の横棒を配置する構成にし、
駆動部には操縦装置を設け、左側持上げ部と右側持上げ部に前輪を設け、駆動部に後輪を設け、操縦装置の走行操作で後輪又は前輪を正転又は逆転可能にし、台車は前進又は後進可能にし、
操縦装置の昇降操作で前輪と後輪を上方又は下方への移動可能にし、台車は上昇又は下降可能にして高さ調整可能にし、
台車を上昇させ、左右の棒受部にブロック配置空間のブロックの左右の横棒を載せてブロックを持ち上げ、この上昇状態で台車を前進させ、持上げ中のブロックを前方へ運ぶ構成にし、
そして、据付位置で台車を停止させて下降させ、持上げ中のブロックを下ろし、左右の棒受部をブロックの左右の横棒から下側に離し、ブロックを据付位置に置き、この下降状態で台車を後進させ、台車を据付位置のブロックから後方に退かせ、ブロックを据付位置に残置する構成にしていることを特徴とするブロック据付装置。
３．上記２のブロック据付装置において、
左側持上げ部と右側持上げ部は、前側部分を上側後方に折り曲げ可能にし、
台車は、左側持上げ部と右側持上げ部を折り畳んで前後方向の長さを短縮可能にしていることを特徴とする。
４．上記２又は３のブロック据付装置において、
左側持上げ部と右側持上げ部は、それらの間隔を増減可能にし、ブロック配置空間の左右方向の幅を調節可能にしていることを特徴とする。
５．上記２、３又は４のブロック据付装置において、
左側持上げ部と右側持上げ部は、棒受部を複数にして前後に配列していることを特徴とする。
６．上記２〜５のいずれかのブロック据付装置において、
棒受部は、上側が開放した凹部を設け、凹部にブロックの横棒の下部が嵌る構成にしていることを特徴とする。
７．上記６のブロック据付装置において、
凹部は、複数にして前後に配列していることを特徴とする。
【発明の効果】
【００１２】
ブロックを据え付け易い。ブロック据付装置は、構造が簡単で使用し易い。
【図面の簡単な説明】
【００１３】
【図１】本発明の実施形態のブロック据付装置の側面図。
【図２】同ブロック据付装置の平面図。
【図３】同ブロック据付装置の正面図。
【図４】同ブロック据付装置のブロック配置空間にブロックを位置させた状態の側面図。
【図５】同状態の平面図。
【図６】同状態の正面図。
【図７】同ブロック据付装置の台車を上昇させてブロックを持ち上げた状態の側面図。
【図８】同ブロック据付装置の左側持上げ部と右側持上げ部を折り畳んだ状態の側面図。
【図９】同ブロック据付装置のブロック配置空間の幅を広げた状態の平面図。
【図１０】同状態の正面図。
【発明を実施するための形態】
【００１４】
［基本機構（図１〜図７参照）］
〈ブロック据付装置の構成〉
実施形態のブロック据付装置では、図１〜図３に示すように、台車１は、後部を駆動部２に、左側部と右側部を左側持上げ部３と右側持上げ部４にしている。左側持上げ部３と右側持上げ部４は、前後方向に長く、並列している。左側持上げ部３と右側持上げ部４の間は、ブロック配置空間５にしている。ブロック配置空間５は、駆動部２の前側に位置している。
【００１５】
左側持上げ部３と右側持上げ部４は、それぞれ、前側部１１と後側部１２を連結して構成している。前側部１１と後側部１２は、それぞれ、上面に棒受部１３を固定している。棒受部１３は、横長の板状にし、前後方向に沿って縦に配置している。棒受部１３の上部には、上側が開放した凹部１４を左右方向に貫通して形成している。凹部１４は、割円形状にしている。ブロックの横棒の下部、左右方向に配置した丸棒の下部が嵌る構成にしている。凹部１４は、複数にして前後に配列している。凹部付き棒受部１３は、左側の前後と右側の前後にそれぞれ配置している。左側の前後の凹部付き棒受部１３と右側の前後の凹部付き棒受部１３との間にブロック配置空間５を配置している。左側の前後の凹部付き棒受部１３は、それぞれ、右側の対応位置の凹部付き棒受部１３と前後方向位置と上下方向位置を同じにしている。左側の各凹部１４は、それぞれ、右側の対応位置の凹部１４と同心状にしている。
【００１６】
駆動部２には、回転駆動装置、舵取り装置、上下動駆動装置と蓄電池を内蔵し、操縦装置１６を設けている。左側持上げ部３と右側持上げ部４は、それぞれ、前側部１１に前輪１７を設けている。駆動部２には、後輪１８を左右に設けている。左右の後輪１８は、回転駆動装置の電動機に連結している。電動機は、電気制御回路を介して蓄電池に接続している。操縦装置１６の走行操作で左右の後輪１８を正転又は逆転する構成にしている。台車１は、前進又は後進可能にしている。左右の後輪１８は、舵取り装置に連結し、操縦装置１６の舵取り操作で左方又は右方に旋回する構成にしている。台車１は、左方又は右方へ進路変更可能にしている。
【００１７】
左右の前輪１７と左右の後輪１８は、上下動駆動装置に連結し、操縦装置１６の昇降操作で上方又は下方に移動する構成にしている。台車１は、上昇又は下降可能にして高さ調整可能にしている。
【００１８】
左側持上げ部３と右側持上げ部４では、それぞれ、前側部１１は、門型断面形状の基体に枢軸２１を左右方向に沿って軸受している。枢軸２１には、可動板２２を回転可能に取り付けている。可動板２２は、２枚にして左右に配置している。左右の可動板２２は、前端部に車軸２３を左右方向に沿って軸受している。車軸２３には、前輪１７を回転可能に取り付けている。前輪１７は、可動板２２を下後側又は上前側に回転すると、下後方又は上前方に移動する構成にしている。左右の前輪１７は、上下動可能にしている。
【００１９】
駆動部２には、回転軸２４、２５、２６を左右方向に貫通している。回転軸２４、２５、２６は、中央部２４を駆動部２に軸受し、左側部２５を左側持上げ部３の後側部１２に、右側部２６を右側持上げ部４の後側部１２に軸受している。回転軸の左側部２５と右側部２６には、それぞれ、可動腕２７を前側に突出して固定している。可動腕２７の前端部と可動板２２の後下端部は、連結棒２８、２９を掛け渡して連結している。回転軸の中央部２４には、駆動腕３０を後側に突出して固定している。駆動部２には、上下動駆動装置の前輪用の油圧シリンダ装置３１、３２を縦に設けている。油圧シリンダ装置３１、３２は、シリンダ３１から上方に突出したピストンロッド３２の上端を駆動部２に回転可能に支持し、シリンダ３１の下端を駆動腕２９の後端に回転可能に連結している。油圧シリンダ装置３１、３２は、油圧制御回路を介して油圧ポンプに接続している。油圧ポンプは、電動機に連結している。電動機は、電気制御回路を介して蓄電池に接続している。
【００２０】
油圧シリンダ装置３１、３２を伸長作動すると、駆動腕２９が下前側に回転し、回転軸２４、２５、２６が正転し、可動腕２７が上後側に回転し、連結棒２８、２９を介して可動板２２が下後側に回転し、前輪１７が下後方に移動する。逆に、油圧シリンダ装置３１、３２を縮小作動すると、回転軸２４、２５、２６が逆転し、前輪１７が上前方に移動する。油圧シリンダ装置３１、３２の伸縮による回転軸２４、２５、２６の正逆転で前輪１７を上下動する機構を構成している。この機構は、左右の前輪１７について同様に構成している。
【００２１】
駆動部２には、上下動駆動装置の後輪用の油圧シリンダ装置４１を縦に設けている。油圧シリンダ装置４１は、シリンダを駆動部２に支持し、シリンダから下方に突出したピストンロッドの下端を後輪１８に連結している。油圧シリンダ装置４１を伸長作動すると、後輪１８が下方に移動する。逆に、油圧シリンダ装置４１を縮小作動すると、後輪１８が上方に移動する。油圧シリンダ装置４１の伸縮で後輪１８を上下動する機構を構成している。この機構は、左右の後輪１８について同様に構成している。左右の後輪１８は、上下動可能にしている。
【００２２】
〈ブロック据付装置の使用方法、ブロックの据付方法〉
ブロック５１を順次接続して水路などの通路を構築するため、ブロック据付装置を使用するときには、ブロック５１は、横棒５３を左右の側面にそれぞれ左方、右方へ突出して取り付ける。
【００２３】
実施形態のブロック５１は、図４〜図６に示すように、前後方向を上下方向より長くし、四角筒形状のボックスカルバート、プレキャストコンクリートブロックにしている。コンクリート成形品のブロック５１は、左右の側面にそれぞれインサートのネジ穴５２を設けている。左右のネジ穴５２は、左右方向に沿って配置し、同心状にしている。前後方向に長いブロック５１は、前部と後部にそれぞれ左右のネジ穴５２を設けている。前部の左右のネジ穴５２と後部の左右のネジ穴５２は、同じ高さにしている。即ち、ブロック５１は、左側面と右側面とで、ネジ穴５２の前後方向位置と上下方向位置を同じにしている。
【００２４】
実施形態の横棒５３は、鋼材の丸棒にし、一端側を螺軸部に、他端側をネジのない突出部にしている。
ブロック５１は、左右前後のネジ穴５２にそれぞれ横棒５３の螺軸部をねじ込み、左右の側面にそれぞれ横棒５３の突出部を左方、右方へ突き出す。
【００２５】
ブロック据付装置は、運転者が駆動部２の後側に立って操縦装置１６を操作する。台車１又はブロック５１を移動させて、図４〜図６に示すように、ブロック５１をブロック配置空間５に位置させる。ブロック５１は、その長手方向の前後方向をブロック配置空間５の前後方向と一致させ、左側持上げ部３、右側持上げ部４と並列する。ブロック配置空間５のブロック５１は、左右の横棒５３を左右の棒受部１３の上側に配置する。前側の左右の横棒５３は前側の左右の棒受部１３の上側に、後側の左右の横棒５３は後側の左右の棒受部１３の上側に配置する。この配置状態で、前輪用の上下動駆動装置３１、３２と後輪用の上下動駆動装置４１を伸長作動し、図７に示すように、台車１を上昇させる。台車１は、上昇途中で、前後左右の棒受部１３にブロック５１の前後左右の横棒５３を載せる。その後の上昇で、棒受部１３に横棒５３を載せた状態でブロック５１を持ち上げる。台車１は、傾くことなく、前後方向と左右方向を維持して上昇する。ブロック５１は、傾くことなく、前後方向と左右方向を維持して持ち上る。
【００２６】
台車１は、この上昇状態で前進させる。持上げ中のブロック５１を前方へ運ぶ。ブロック５１が据付位置に達すると、台車１を停止させて下降させる。下降途中で、持上げ中のブロック５１を下ろす。その後の下降で、前後左右の棒受部１３を前後左右の横棒５３から下方に離す。ブロック５１を据付位置に置く。この下降状態で台車１を後進させる。台車１は、据付位置のブロック５１から後方に退く。ブロック５１は、据付位置に残置される。その後、据付位置のブロック５１から横棒５３を取り外す。
【００２７】
［折畳み機構（図１、図２、図８参照）］
実施形態のブロック据付装置では、運搬時や保管時、図８に示すように、左側持上げ部３と右側持上げ部４は、前側部分を上側後方に折り曲げて折り畳み、台車１の前後方向の長さを短縮する。
【００２８】
折畳み機構では、左側持上げ部３と右側持上げ部４は、それぞれ、前側部１１と後側部１２を連結するに当たり、図１と図２に示すように、ピン接合を用いている。前側部１１の上面後端と後側部１２の上面前端をピン６１で接合している。ピン６１は、左右方向に配置している。前側部１１は、ピン６１を中心として後側部１２の上側に回転可能にしている。
【００２９】
また、左右の前輪１７を回転軸２４〜２６の正逆転で上下動する機構は、それぞれ、連結棒２８、２９を構成するに当たり、前側棒２８と後側棒２９を分離可能に連結している。前側棒２８の後端と後側棒２９の前端はピン６２で接合している。ピン６２は抜取可能にしている。前側棒２８と後側棒２９の連結端は、前後方向位置を前側部１１と後側部１２の連結端とほぼ同じにしている。左側持上げ部３と右側持上げ部４は、それぞれ、前側部１１と後側部１２に案内環６３を設けている。前側部１１の案内環６３には連結棒の前側棒２８を、後側部１２の案内環６３には連結棒の後側棒２９を移動可能に貫通している。
【００３０】
折り畳み時、図８に示すように、左右の連結棒２８、２９は、それぞれ、ピン６２を抜き取り、前側棒２８と後側棒２９を分離する。その後、左側持上げ部３と右側持上げ部４は、それぞれ、前側部１１を上側後方に回転し、前側部１１の棒受部１３を後側部１２の棒受部１３に載せる。前側部１１を後側部１２の上側に折り曲げる。左側持上げ部３と右側持上げ部４の折り畳みで、台車１は前後方向の長さを短縮する。
【００３１】
［幅調節機構（図１〜図３、図９、図１０参照）］
実施形態のブロック据付装置は、ブロック５１の左右方向の幅に合わせて、図２、３と図９、１０に示すように、左側持上げ部３と右側持上げ部４の間隔を増減する。ブロック配置空間５の左右方向の幅を調節する。幅調節機構は、幅増減機構と幅確定機構を備えている。
【００３２】
幅増減機構では、左右の前輪１７を回転軸２４〜２６の正逆転で上下動する機構は、回転軸２４〜２６を構成するに当たり、左側部２５と右側部２６を、それぞれ、中央部２４に対して回転伝達機能を維持した状態で軸心方向、左右方向に移動可能にしている。スプライン軸にしている。回転軸２４〜２６では、中央部２４、左側部２５と右側部２６をそれぞれ軸受するに当たり、軸受方向を径方向と軸方向にしている。
【００３３】
図１〜図３に示すように、左側持上げ部３と右側持上げ部４は、それぞれ、後側部１２に幅増減用の螺軸７１を左右方向に貫通して径方向と軸方向に軸受している。左右の螺軸７１は、それぞれ、内端側を左側持上げ部３、右側持上げ部４の内面から突出している。駆動部２は、前面の左右にそれぞれ螺孔部材７２を固定している。左右の螺孔部材７２は、それぞれ、螺孔を左右方向に貫通している。左右の螺孔部材７２には、それぞれ、左右の螺軸７１の内端側の突出部分を貫通して螺合している。左右の螺軸７１の外端は、それぞれ、左側持上げ部３、右側持上げ部４の外面に露出している。左右の螺軸７１の外端には、それぞれ、回転工具７３を連結可能にしている。
【００３４】
螺軸７１は、外端に回転工具７３を連結して回転する。左側の螺軸７１を正転又は逆転すると、左側持上げ部３が左方又は右方に移動する。左側持上げ部３の左方又は右方への移動に従って、回転軸の左側部２５が左方又は右方に移動する。回転軸２４〜２６が伸長又は縮小する。右側の螺軸７１を正転又は逆転すると、右側持上げ部４が左方又は右方に移動する。右側持上げ部４の左方又は右方への移動に従って、回転軸の右側部２６が左方又は右方に移動する。回転軸２４〜２６が縮小又は伸長する。左右の螺軸７１の正転又は逆転によって左側持上げ部３と右側持上げ部４の間隔、ブロック配置空間５の左右方向の幅が増減する。
【００３５】
幅確定機構では、左側持上げ部３と右側持上げ部４は、それぞれ、後側部１２に幅確定板７６を内側に突出して固定している。左右の幅確定板７６には、それぞれ、ボルト孔７７を前後方向に貫通している。ボルト孔７７は、多数にして左右方向に等間隔に配列している。駆動部２は、前面にネジ穴７８を開口している。ネジ穴７８は、多数にして左右方向に等間隔に配列している。ネジ穴７８とボルト孔７７は、配列間隔を同じにしている。左右のボルト孔７７付き幅確定板７６は、それぞれ、駆動部２のネジ穴７８付き前面に重なっている。ボルト孔７７とネジ穴７８は、同心にし、ボルト７９を捩じ込んでいる。左右の幅確定板７６は、それぞれ、多数のボルト７９で駆動部２に固定している。左右の幅確定機構７６〜７９は、それぞれ、左側持上げ部３、右側持上げ部４を駆動部２に固定している。
【００３６】
各ボルト７９は、捩戻して抜取可能にしている。幅確定板７６は、ボルト７９による駆動部２への固定を解除可能にしている。左右の幅確定機構７６〜７９は、それぞれ、左側持上げ部３、右側持上げ部４と駆動部２の固定を解除可能にしている。
【００３７】
幅調節時、先ず、幅確定機構７６〜７９でボルト７９を抜き取って幅確定板７６と駆動部２の固定を解除する。左側持上げ部３、右側持上げ部４と駆動部２の固定を解除する。次に、幅増減機構７１〜７３で螺軸７１を正転又は逆転して左側持上げ部３と右側持上げ部４の間隔を増加又は減少する。最後に、幅確定機構７６〜７９でボルト７９を捩じ込んで幅確定板７６を駆動部２に固定する。左側持上げ部３、右側持上げ部４を駆動部２に固定する。左側持上げ部３と右側持上げ部４の増減後の間隔、ブロック配置空間５の増減後の幅が確定する。
【００３８】
［変形例］
本発明は、上記の実施形態に限定されない。次のような変形が例示される。
１．上記の実施形態において、前輪用の上下動駆動装置３１、３２、後輪用の上下動駆動装置４１は、油圧シリンダ装置にしているが、油圧モータ又は電動機にする。
２．上記の実施形態において、前輪用の上下動駆動装置３１、３２は、設置位置を駆動部２にしているが、左側持上げ部３、右側持上げ部４にする。
３．上記の実施形態において、棒受部１３は、板状にしているが、棒状や塊状、又は、その他の形状にする。
４．上記の実施形態において、凹部１４は、割円形状にしているが、逆三角形状や逆台形状、又は、その他の形状にする。
５．上記の実施形態において、台車１は、後輪駆動にしているが、前輪駆動にする。又は、四輪駆動にする。
６．上記の実施形態において、台車１は、運転者の座席を設けていないが、運転者の座席を設ける。
７．上記の実施形態において、幅調節機構は、幅増減機構７１〜７３と幅確定機構７６〜７９を備えているが、幅確定機構７６〜７９は必要がなければ備えない。
８．上記の実施形態において、ブロック５１は、暗渠や地中線路を構築する四角筒形状のボックスカルバートにしているが、三面水路を構築するＵ形断面形状のカルバートにする。又は、その他の通路を構築するブロック、若しくは、その他の形状のブロックにする。
９．上記の実施形態において、ブロック５１は、前後方向を上下方向より長くしているが、短くする。又は、等寸にする。
【符号の説明】
【００３９】
１  ブロック据付装置の台車
２  ブロック据付装置の駆動部
３  ブロック据付装置の左側持上げ部
４  ブロック据付装置の右側持上げ部
５  ブロック据付装置のブロック配置空間
１１  左側持上げ部、右側持上げ部の前側部
１２  左側持上げ部、右側持上げ部の後側部
１３  棒受部
１４  棒受部の凹部
１６  操縦装置
１７  前輪
１８  後輪
２１  枢軸
２２  可動板
２３  前輪の車軸
２４、２５、２６  回転軸、スプライン軸
２４  回転軸の中央部
２５  回転軸の左側部
２６  回転軸の右側部
２７  可動腕
２８、２９  連結棒
２８  連結棒の前側棒
２９  連結棒の後側棒
３０  駆動腕
３１、３２  上下動駆動装置の前輪用油圧シリンダ装置、前輪用の上下動駆動装置
３１  シリンダ
３２  ピストンロッド
４１  上下動駆動装置の後輪用油圧シリンダ装置、後輪用の上下動駆動装置
５１  ブロック、ボックスカルバート、プレキャストコンクリートブロック
５２  ブロックのネジ穴
５３  横棒
６１、６２、６３  折畳み機構
６１  左側持上げ部、右側持上げ部のピン
６２  連結棒のピン
６３  連結棒の案内環
７１、７２、７３  幅増減機構
７１  幅増減用の螺軸
７２  螺孔部材
７３  回転工具
７６、７６、７７、７８、７９  幅確定機構
７６  幅確定板
７７  幅確定板のボルト孔
７８  駆動部のネジ穴
７９  ボルト
【要約】
【課題】  ブロック据付装置において、構造を簡単にして使用し易くする。
【解決手段】  前進又は後進可能な台車１は左側持上げ部３と右側持上げ部４を設け、それらの間を、横棒５３を左右に取り付けたブロック５１を位置させるブロック配置空間５にする。左側持上げ部と右側持上げ部に棒受部１３を設け、左右の棒受部の上側にブロックの左右の横棒を配置する構成にする。台車は上昇又は下降可能にする。台車を上昇させ、左右の棒受部にブロック配置空間のブロックの左右の横棒を載せてブロックを持ち上げ、この上昇状態で台車を前進させ、持上げ中のブロックを前方へ運ぶ。据付位置で台車を停止させて下降させ、持上げ中のブロックを下ろし、左右の棒受部をブロックの左右の横棒から下側に離し、ブロックを据付位置に置き、この下降状態で台車を後進させ、台車を据付位置のブロックから後方に退かせ、ブロックを据付位置に残置する。
【選択図】  図４【図１】
0005965010.tif 000002
【図２】
0005965010.tif 000003
【図３】
0005965010.tif 000004
【図４】
0005965010.tif 000005
【図５】
0005965010.tif 000006
【図６】
0005965010.tif 000007
【図７】
0005965010.tif 000008
【図８】
0005965010.tif 000009
【図９】
0005965010.tif 000010
【図１０】
0005965010.tif 000011